(57)【要約】【課題】ミスコンバーゼンス補正残量の少ない偏向ヨーク装置を得る。【解決手段】垂直偏向コイル１３をピンクッション磁界発生用の第１のコイル部１５とバレル磁界発生用の第２のコイル部１６の２対２組のコイルに分割して、コア１２にトロイダル巻に巻回する。第１のコイル部１５に互いに逆極性に並列接続した２個のダイオード２４，２５を直列接続し、画面の中央領域でダイオード２４，２５をオフさせてピンクッション磁界の発生を抑制し、バレル磁界を強調する。さらに垂直走査の立ち上がりにおいて、第１のコイル部１５と第２のコイル部１６に流れる偏向電流が略等しくなるように設定する。【選択図】      図２
2004294748.tif 000002
【特許請求の範囲】
【請求項１】
インライン型電子銃を備えたカラー陰極線管画面の水平軸方向内側において前記カラー陰極線菅画面の垂直軸方向に対向するようにコアにトロイダル巻に巻回された一対のコイルでなる第１のコイル部と、前記カラー陰極線管画面の水平軸方向の前記第１のコイル部よりも外側において当該水平軸方向に対向するように前記コアにトロイダル巻に巻回された一対のコイルでなる第２のコイル部とで構成された垂直偏向コイルと、
前記第１のコイル部に直列接続された逆極性に並列接続された２個のダイオードと、
前記第２のコイル部と、前記第１のコイル部と前記２個のダイオードの直列接続との並列接続回路配置を有し、該第１及び第２のコイル部に流れる垂直偏向電流が垂直偏向の開始から少なくとも所定期間略等しくなるように設定する偏向電流設定手段と、
を具備したことを特徴とする偏向ヨーク装置。
【請求項２】
前記偏向電流設定手段は、前記第１及び第２のコイル部と、前記逆極性に並列接続された２個のダイオードとにそれぞれ並列に接続された抵抗含み、当該抵抗の抵抗値と前記第１及び第２のコイル部のコイルの巻回数を特定することで前記垂直偏向の開始から少なくとも所定期間前記第１及び第２のコイル部に流れる偏向電流が略等しくなるように設定するものであることを特徴とする請求項１に記載の偏向ヨーク装置。
【請求項３】
前記偏向電流設定手段は、前記第２のコイル部のコイルの巻回数を前記第１のコイル部のコイルの巻回数より少なく設定するものであることを特徴とする請求項２に記載の偏向ヨーク装置。
【請求項４】
前記偏向電流設定手段は、前記第１のコイル部に並列に接続された抵抗の抵抗値に比して、前記第２のコイル部に並列に接続された抵抗の抵抗値を小さく設定するものであることを特徴とする請求項２に記載の偏向ヨーク装置。
【請求項５】
インライン型電子銃を備えたカラー陰極線管に装着される偏向ヨーク装置において、
ピンクッション磁界発生用のコイル部と、バレル磁界発生用のコイル部分との少なくとも２対２組のコイル部を構成するようにコアにトロイダル巻きで分割巻回された垂直偏向コイルと、
前記ピンクッション磁界発生用のコイル部に直列接続された逆極性に並列接続された２個のダイオードと、
前記バレル磁界発生用のコイル部と、前記ピンクッション磁界発生用のコイル部と前記並列接続された２個のダイオードの直列接続との並列接続回路配置を有し、前記バレル磁界発生用のコイル部と前記ピンクッション磁界発生用のコイル部に垂直偏向の開始から少なくとも所定期間略等しい偏向電流が流れるように設定する偏向電流設定手段と、
を具備したことを特徴とする偏向ヨーク装置。
【請求項６】
前記偏向電流設定手段は、前記ピンクッション磁界発生用のコイル部及び前記バレル磁界発生用のコイル部と、前記逆極性に並列接続された２個のダイオードとに、それぞれ並列に接続された抵抗を含み、当該抵抗の抵抗値と前記各コイル部のコイルの巻回数を特定することで前記垂直偏向の開始から少なくとも所定期間前記各コイル部に流れる偏向電流が略等しくなるように設定するものであることを特徴とする請求項５に記載の偏向ヨーク装置。
【請求項７】
前記偏向電流設定手段は、前記バレル磁界発生用のコイル部のコイルの巻回数を前記ピンクッション磁界発生用のコイル部のコイルの巻回数より少なく設定するものであることを特徴とする請求項５に記載の偏向ヨーク装置。
【請求項８】
前記偏向電流設定手段は、前記第ピンクッション磁界発生用のコイル部に並列に接続された抵抗の抵抗値に比して、前記バレル磁界発生用のコイル部に並列に接続された抵抗の抵抗値を小さく設定するものであることを特徴とする請求項６に記載の偏向ヨーク装置。
【請求項９】
インライン型電子銃を備えたカラー陰極線管に第１のコイルによって垂直偏向磁界と共にピンクッション磁界を生成し、第２のコイルによって垂直偏向磁界と共にバレル磁界を生成するステップと、
各垂直走査の略中央部において、前記ピンクッション磁界に比してバレル磁界を強調するステップと、
前記各垂直走査の開始から少なくとも所定期間において前記第１及び第２のコイルに流れる偏向電流の値を略等しくするステップと、
を具備したことを特徴とする垂直偏向方法。
【発明の詳細な説明】
【０００１】
【発明の属する技術分野】
本発明は、インライン型電子銃を備えたカラー陰極線管用偏向ヨーク装置に関し、特に垂直偏向コイルを、本来の垂直偏向のための磁界を発生する機能の他に、ピンクッション磁界発生機能を有するコイル部とバレル磁界発生機能を有するコイル部の２組に分割して構成し、それら磁界によってコンバーゼンスを補正するようにした垂直偏向コイルを備えた偏向ヨーク装置及び垂直偏向方法に関する。
【０００２】
【従来の技術】
インライン型電子銃を備えたカラー陰極線管に適用される偏向ヨーク装置は、例えば図７に示すように構成されており、コイルセパレータ７１の外側に、垂直偏向コイル７２がトロイダル巻に巻回されたコア７３が配設され、コイルセパレータ７１の内部に、サドル巻に巻回された水平偏向コイル７４が配設されている。コイルセパレータ７１の端部は、複数の片に分割されており、偏向ヨーク装置７０は、その部分で図示しないカラー陰極線管のネック部に、取り付けバンド７５によって取り付けられる。
【０００３】
このような偏向ヨーク装置７０でインライン型電子銃を備えたカラー陰極線管の電子ビームを偏向した場合、一般的に図８に示すような傾向のミスコンバーゼンスが発生する。
すなわち、画面中央部領域１の画面上側において、赤電子ビーム（Ｒ）の画面照射位置（以下単にＲと略称する）が右方向に回転して、青電子ビーム（Ｂ）の画面照射位置（以下単にＢと略称する）に対して、画面右の領域では、画面垂直中心軸（Ｙ軸）から離れるにしたがって画面水平中心軸（Ｘ軸）に近づき、画面左領域では、逆にＢに対してＹ軸から離れるにしたがってＸ軸から離れる方向に変移し、また、画面中央部領域１の画面下側において、Ｂが右方向に回転して、Ｒに対して、画面右の領域では、Ｙ軸から離れるにしたがってＸ軸から離れ、画面左領域では、逆にＲに対してＹ軸から離れるにしたがってＸ軸に近づく方向に変移するいわゆる正のクロスが発生する。
【０００４】
さらにまた、画面端部の領域２では、画面上端側でＢが右回転し、画面下端側で、Ｒが右回転するいわゆる負のクロスが発生する。
このように、画面の中央部領域１と端部領域２で、ＲとＢのクロスの方向が逆になっているために、それを補正することは容易ではなく、従来から種々の提案がなされている。
例えば、特許文献１には、水平磁界中間部をバレル傾向にすることで、特に領域１の正のクロスを改善し、さらに水平偏向コイルあるいは垂直偏向コイルの少なくとも一方において、水平軸Ｘから約３５°傾斜した角度範囲（画面のコーナ付近に対応）に巻線が施されない中抜き部分を設けて、特に領域２における負のクロス量を改善することが示されている。
【０００５】
すなわち、図９に示すように、水平磁界の中間部分をバレル傾向にした場合、画面の第１象限では、ＲがＢに対して、より画面上方向（＋Ｙ方向）の力（ローレンツ力）を受け、第４象限ではＲがＢに対して、より画面下方向（−Ｙ方向）の力を受ける。さらに、第２象限では、ＢがＲに対して、より＋Ｙ方向の力を受け、第３象限ではＢがＲに対して、より−Ｙ方向の力を受ける。その現象は、領域１において顕著に現れ、結局、領域１の正クロスミスコンバーゼンスが改善されるようになる。
【０００６】
また、垂直偏向コイルにおいて、水平軸Ｘから約３５゜傾斜した角度範囲に巻線が施されない中抜き部分を設けると、図１０に示すように、画面の第１及び第４象限では、ＢビームがＦＢ＞ＦＲの力を受け、画面の第２及び第３象限では、ＲビームがＦＲ＞ＦＢの力を受ける。その現象は、領域２において顕著に現れ、結果、領域２の負クロスミスコンバーゼンスが改善されることになる。
【０００７】
しかしながら、そのような内容の提案は磁界分布を妥協的に調整するものに過ぎず、正負クロスミスコンバーゼンスを完全に除去し得るものではない。そこで、さらにこの特許文献１では、垂直偏向コイルを、Ｘ軸に対して０〜６０°の角度範囲に巻回したバレル磁界を発生するコイル部分と、６０〜９０°の角度範囲に巻回したピンクッション磁界を発生するコイル部分との２対２組に分割して構成し、さらにピンクッション磁界を発生するコイル部分に、逆極性に並列接続された２個のダイオードを直列接続し、垂直偏向コイルに供給される信号電圧値によってダイオードをオンあるいはオフさせるように構成している。
【０００８】
垂直偏向コイルに供給される電圧は、偏向開始点（画面上端）で高く、画面中央に向かって徐々に低くなって中央でゼロとなり、その後極性が反転して、徐々に高くなり、偏向終了点（画面下端）では開始点に対して逆極性で略同じ値の電圧が供給される。
【０００９】
したがって、画面中央付近ではダイオードがオフとなって、ピンクッション磁界の発生が抑制され、バレル磁界を発生するコイル部分の作用が主体となり、バレル磁界が強調されるようになる。その結果、画面中央部（領域１）での正クロスミスコンバーゼンスが改善される。また、画面の上下端部においては、ダイオードがオンとなり、ピンクッション磁界を発生するコイル部分も作用して、画面上下端部（領域２）の負クロスミスコンバーゼンスが改善される。
【００１０】
以上のように、特許文献１に示された提案は、一方のコイル部から発生されるピンクッション磁界を画面の上下端部と中央部で切換えて発生させるように構成されているが、他方のコイル部で生成されるバレル磁界との組合わせによってミスコンバーゼンスを補正するように作用するものであり、両方の磁界を協調させることが重要である。
【００１１】
しかしながら、このような偏向ヨーク装置において、バレル磁界を発生するコイル部に、図１１（ａ）に示す偏向電流が流れ、ピンクッション磁界を発生するコイル部に、図１１（ｂ）に示すように、図１１（ａ）の波形に対して実効値（ＲＭＳ）で３０％以上大きい偏向電流が流れるように設定されていると、偏向立ち上がり時の電流は、バレル磁界発生用コイル部では、０．５［Ａ］（ｐ−ｐ）で、ピンクッション磁界発生用コイル部では１．５［Ａ］（ｐ−ｐ）となり、その差６０％の突出した電流がピンクッション磁界発生用コイル部に流れることになり、逆にバレル磁界発生用のコイル部に流れる偏向電流は垂直偏向立ち上がり点で鈍ってしまう。
【００１２】
そのため、垂直偏向立ち上がりにおいて、強いピンクッション磁界が生成されることになり、画面上端で図１２に示すような水平方向プラスのミスコンバーゼンスが発生してしまうという問題があった。
【特許文献１】
特開平１−２２５０４５号公報（第１頁〜第５頁、図１，２，６）
【００１３】
【発明が解決しようとする課題】
以上のように、従来の偏向ヨーク装置は、ピンクッション磁界を発生するコイル部とバレル磁界を発生するコイル部に流れる偏向電流が大きく異なると偏向開始点においてミスコンバーゼンスが発生することがあった。
本発明は、以上の点に対処してなされたものであり、垂直偏向コイルをピンクッション磁界発生部とバレル磁界発生部とに分割してそれぞれトロイダル巻に構成し、画面中央部でピンクッション磁界を抑制してバレル磁界を強調するようにした偏向ヨーク装置において、垂直走査開始から少なくとも所定期間の間、ピンクッション磁界発生用のコイル部とバレル磁界発生用のコイル部に流れる偏向電流を略等しくなるように設定することでミスコンバーゼンスを的確に補正できるようにしたものである。
【００１４】
【課題を解決するための手段】
本発明の偏向ヨーク装置は、インライン型電子銃を備えたカラー陰極線管の画面の水平軸方向内側において前記カラー陰極線菅画面の垂直軸方向に対向するようにコアにトロイダル巻に巻回された一対のコイルでなる第１のコイル部と、前記カラー陰極線管画面の水平軸方向の前記第１のコイル部よりも外側において当該水平軸方向に対向するように前記コアにトロイダル巻に巻回された一対のコイルでなる第２のコイル部とで構成された垂直偏向コイルと、
【００１５】
前記第１のコイル部に直列接続された逆極性に並列接続された２個のダイオードと、
前記第２のコイル部と、前記第１のコイル部と前記２個のダイオードの直列接続との並列接続回路配置を有し、該第１及び第２のコイル部に流れる垂直偏向電流が垂直偏向の開始から少なくとも所定期間略等しくなるように設定する偏向電流設定手段と、
【００１６】
を具備したことを特徴とする。
本発明によれば、垂直偏向の立ち上がり点において、第１及び第２のコイル部に略等しい偏向電流が流れるようになるので、ミスコンバーゼンスを確実に補正することができるものである。
また、本発明の偏向ヨーク装置は、インライン型電子銃を備えたカラー陰極線管に装着される偏向ヨーク装置において、
ピンクッション磁界発生用のコイル部と、バレル磁界発生用のコイル部分との少なくとも２対２組のコイル部を構成するようにコアにトロイダル巻きで分割巻回された垂直偏向コイルと、
前記ピンクッション磁界発生用のコイル部に直列接続された逆極性に並列接続された２個のダイオードと、
前記バレル磁界発生用のコイル部と、前記ピンクッション磁界発生用のコイル部と前記並列接続された２個のダイオードの直列接続との並列接続回路配置を有し、前記バレル磁界発生用のコイル部と前記ピンクッション磁界発生用のコイル部に垂直偏向の開始から少なくとも所定期間略等しい偏向電流が流れるように設定する偏向電流設定手段と、
【００１７】
を具備したことを特徴とする。
本発明によれば、垂直偏向の立ち上がり点において、ピンクッション磁界発生用コイル部とバレル磁界発生用コイル部に略等しい偏向電流が流れるようになるので、ミスコンバーゼンスを確実に補正することができるものである。
さらに、本発明の垂直偏向方法は、インライン型電子銃を備えたカラー陰極線管に第１のコイルによって垂直偏向磁界と共にピンクッション磁界を生成し、第２のコイルによって垂直偏向磁界と共にバレル磁界を生成するステップと、
各垂直走査の略中央部において、前記ピンクッション磁界に比してバレル磁界を強調するステップと、
前記各垂直走査の開始から少なくとも所定期間において前記第１及び第２のコイルに流れる偏向電流の値を略等しくするステップと、
を具備したことを特徴とする。
本発明によれば、垂直偏向の立ち上がり点において、ピンクッション磁界発生用コイル部とバレル磁界発生用コイル部に略等しい偏向電流が流れるようになるので、ミスコンバーゼンスを確実に補正することができるものである。
【００１８】
【発明の実施の形態】
以下、図面を参照しながら本発明の実施の形態を詳細に説明する。
図１は、本発明の偏向ヨーク装置１０を、カラー陰極線管の電子ビーム照射方向に対して交わる方向に切断した断面図で示すものである。
すなわち、コイルセパレータ１１の外側に、垂直偏向コイル用の環状のコア１２が配設され、コア１２に垂直偏向コイル１３がトロイダル巻に巻回されている。さらにコイルセパレータ１１内側にはサドル巻に巻回された水平偏向コイル１４が配設されている。
【００１９】
垂直偏向コイル１３は、画面のＸ軸を間にして対向するようにコア１２巻回された１対のコイルでなる第１のコイル部（内側コイル部）１５と、画面のＹ軸を間にして対向するようにコア１２に巻回された１対のコイルでなる第２のコイル部（外側コイル部）１６と構成され、第２のコイル部１６は、Ｘ軸に対して５０°を越えない領域に巻回されており、第１のコイル部１５は、Ｘ軸に対して５０°〜９０°の角度範囲に巻回されている。
【００２０】
図２は、図１に示す偏向ヨーク装置１０の垂直偏向コイル１３の結線状態を示す回路図である。図において、図１と同じ部分に同じ符号を付す。
図２において、端子２１に、第１のコイル部１５を構成する一対のコイル１５ａ，１５ｂが直列に接続され、さらに各コイル１５ａ，１５ｂと並列に抵抗２２，２３がそれぞれ接続されている。また、コイル１５ｂのコイル１５ａとの接続点とは反対側の端には、互いにアノードとカソードが接続された２個のダイオード２４，２５の２つの接続点のうちの一方の接続点が接続されている。すなわち互いに逆極性に並列に接続された２個のダイオード２４，２５がコイル１５ｂと直列に接続されている。さらにダイオード２４，２５と並列に抵抗２６が接続されている。
【００２１】
端子２１には、さらに第２のコイル部１６を構成する一対のコイル１６ａ，１６ｂが直列に接続され、各コイル１６ａと１６ｂに対して、それぞれ抵抗２７，２８が並列に接続されている。
ダイオード２４，２５のコイル１５ｂとの接続点とは反対側の接続点と、第２のコイル部１６におけるコイル１６ｂのコイル１６ａとの接続点とは反対側の端とが接続され、その接続点がダイオード２９のアノードとダイオード３０のカソードに共通に接続されている。
【００２２】
ダイオード２９と３０には、それぞれ並列に抵抗３１，３２が接続され、さらにダイオード２９のカソードとダイオード３０のアノードには、それぞれ垂直等方性非点収差補正コイル３３、３４が接続され、各垂直等方性非点収差補正コイル３３，３４のダイオード２９，３０との接続点とは反対側の端は共通に接続されている。
【００２３】
垂直等方性非点収差補正コイル３３，３４の共通接続点は、２つの垂直コマ収差補正コイル３５，３６を直列に介して端子３７に接続されている。
端子２１と端子３７間には、垂直偏向電圧が供給されるもので、端子２１には、垂直偏向の前半（画面上側）では、その開始点が最も高く、画面中央にかけて徐々に減少し最終的にゼロ（基準電位）になる電圧が供給される。その際、端子３７は基準電位点に接続され、偏向電流は、端子２１から端子３７方向に流れる。したがって、端子２１はいわゆる（Ｈｉｇｈ）端子である。
【００２４】
垂直偏向の後半（画面下側）では、その開始点が基準電位で最も低く、画面下端で最も高くなるように変化する電圧が端子３７に供給される。その際、端子２１は基準電位点に接続され、偏向電流は端子３７から端子２１に向かって流れる。したがって、端子３７はいわゆる（Ｌｏｗ）端子である。
【００２５】
垂直等方性非点収差補正コイル３３，３４は、カラー陰極線管画面Ｙ軸上に発生する垂直等方性非点収差を補正するもので、偏向ヨーク装置１０のカラー陰極線管のネック部側の開口部付近にコイルセパレータを介して取り付けられる。
垂直等方性非点収差とは、図３（ａ）（ｂ）に示すように、画面Ｙ軸の端部において、Ｂ及びＲがＸ軸方向に互いに離れるように生ずるコンバーゼンスずれであり、垂直等方性非点収差補正コイル３３，３４で発生させる磁界によって補正されるものである。すなわち、画面端部（領域２）付近では、偏向電圧が高いため、ダイオード２９，３０がオンとなり、コイル３３，３４に流れる電流が増加するため、垂直等方性非点収差補正コイル３３，３４から発生される磁界も強くなり、垂直等方性非点収差が修正されるように作用する。その結果、図３（ｃ）に示すようにＢとＧがＹ軸上で略一致するようになる。
【００２６】
また、垂直コマ収差補正コイル３５，３６は、カラー陰極線管画面のＸ軸上に発生する垂直コマ収差を補正するもので、偏向ヨーク装置１０のカラー陰極線管のネック部側の開口部付近にコイルセパレータを介して取り付けられており、ピンクッション磁界を発生するように作用する。
【００２７】
垂直コマ収差とは、図４（ａ）に示すように、Ｒ，Ｂに対して緑の電子ビーム（以下Ｇと略称する）がＹ軸方向内側に位置するように生ずるコンバーゼンスずれであり、垂直コマ収差補正コイル３５，３６で発生されるピンクッション磁界によって、それが補正され、図４（ｂ）に示すように、ＧがＢとＲに略一致するようになる。
【００２８】
次に、本発明を構成する垂直偏向コイル１３について詳細に説明する。本発明は、図２の回路において、第１のコイル部１５に流れる電流と、第２のコイル部１６に流れる電流が、少なくとも垂直偏向の立ち上がりから所定期間の間、実効値で略等しくなるように設定するものである。
【００２９】
すなわち、第１のコイル部１５を構成する一対のコイル１５ａ，１５ｂと第２のコイル部１６を構成する一対のコイル１６ａ，１６ｂの巻回数と、各コイル１５ａ，１５ｂ，１６ａ，１６ｂに並列に接続された抵抗２２，２３，２７，２８及びダイオード２４，２５に並列に接続された抵抗２６の抵抗値を所定の式から求められる論理値あるいは実験によって求められる測定値に基づいて決定することで、第１のコイル部１５と第２のコイル部１６に略等しい偏向電流が流れるようにしている。
【００３０】
その結果、第１のコイル部１５には、図５（ａ）に示す電流が流れ、第２のコイル部１６には、図５（ｂ）に示す電流が流れるようになる。すなわち、第１のコイル部１５には実効値で０．４９［Ａ］、ｐ−ｐ値で０．７［Ａ］の電流が流れ、第２のコイル部１６には実効値で０．５０［Ａ］、ｐ−ｐ値で０．８５［Ａ］の電流が流れるようになる。
【００３１】
第１のコイル部１５と第２のコイル部１６に、図５（ａ）（ｂ）に示す電流が流れることにより、垂直偏向立ち上がり時の、ピンクッション磁界とバレル磁界が相互に最適な値となり、図６に示すように画面上端部におけるミスコンバーゼンスを的確に補正することができるようになるものである。
【００３２】
なお、第１のコイル部１５のコイル１５ａ，１５ｂと第２のコイル部１６のコイル１６ａ，１６ｂの巻回数と、抵抗２２，２３，２７，２８の抵抗値について、一義的に検討すると、第２のコイル１６のコイル１６ａ，１６ｂの巻回数は、第１のコイル１５のコイル１５ａ，１５ｂの巻回数より少なく、抵抗２７，２８の直列抵抗値は、抵抗２２，２３の直列抵抗値より小さく設定されるものである。
【００３３】
以上のように本発明の偏向ヨーク装置は、垂直偏向コイルを、ピンクッション磁界を発生するコイル部と、バレル磁界を発生するコイル部に分割して、各コイル部を並列接続すると共に、ピンクッション磁界発生用コイル部に逆極性に並列接続された２個のダイオードを直列接続して、画面中央部分で、ピンクッション磁界を抑制してバレル磁界を強調するようにした偏向ヨーク装置において、ピンクッション磁界発生用コイル部とバレル磁界発生用コイル部に、少なくとも垂直偏向の立ち上がり期間で略等しい偏向電流が流れるように偏向電流を設定するようにしたので、画面上端における画面水平方向のコンバーゼンスずれを、的確に補正することができるものである。
【００３４】
【発明の効果】
以上のように、本発明の偏向ヨーク装置においては、垂直偏向コイルを、ピンクッション磁界を発生するコイル部とバレル磁界を発生するコイル部の２対２組のコイル部に分割してそれぞれコアにトロイダル巻回するようにし、ピンクッション磁界を発生するコイル部を、ダイオードでスイッチングして、画面中央部付近の領域おいて、バレル磁界を強調するように構成した偏向ヨーク装置において、垂直偏向の少なくとも立ち上がりで、ピンクッション磁界発生用のコイルとバレル磁界発生用のコイルに略等しい偏向電流が流れるように構成したので、画面上端のミスコンバーゼンスの補正残留量を極めて少なくすることができるものである。
【図面の簡単な説明】
【図１】本発明に係る偏向ヨーク装置の断面図。
【図２】図１に示す偏向ヨーク装置の一実施の形態の回路構成を示す回路図。
【図３】図２に示す回路の動作を説明するための図。
【図４】図２に示す回路の動作を説明するための図。
【図５】図２に示す回路の動作を説明するための波形図。
【図６】図に示す回路の動作を説明するための図。
【図７】一般的な偏向ヨーク装置の構成を示す図。
【図８】インライン電子銃を備えたカラー陰極線管のミスコンバーゼンスを説明するための図。
【図９】従来の偏向ヨーク装置において、コンバーゼンスを補正する過程を説明するための図。
【図１０】従来の偏向ヨーク装置において、コンバーゼンスを補正する過程を説明するための図。
【図１１】従来の偏向ヨーク装置の動作を説明するための偏向電流波形図。
【図１２】図１１に示す偏向電流によって発生されるミスコンバーゼンスを説明するための図。
【符号の説明】
１０…偏向ヨーク装置
１１…コイルセパレータ
１２…コア
１３…垂直偏向コイル
１４…水平偏向コイル
１５…第１のコイル部
１６…第２のコイル部
２１…端子（Ｈｉｇｈ）
２２，２３…抵抗
２４，２５…ピンクッション磁界切換え用ダイオード
２６，２７，２８…抵抗
２９，３０…垂直等方性収差補正用切換えダイオード
３１，３２…抵抗
３３，３４…垂直等方性収差補正コイル
３５，３６…垂直コマ収差補正コイル
３７…端子（Ｌｏｗ）
【図１】
2004294748.tif 000003
【図２】
2004294748.tif 000004
【図３】
2004294748.tif 000005
【図４】
2004294748.tif 000006
【図５】
2004294748.tif 000007
【図６】
2004294748.tif 000008
【図７】
2004294748.tif 000009
【図８】
2004294748.tif 000010
【図９】
2004294748.tif 000011
【図１０】
2004294748.tif 000012
【図１１】
2004294748.tif 000013
【図１２】
2004294748.tif 000014